(57)【要約】【課題】施工が容易である開口縁構造、及び該開口縁構造の施工方法を提供する。【解決手段】開口部の枠を形成する開口枠１０、及び建物の外壁材４０と開口枠との間に配置されて開口枠に固定される壁部材３０とを備える開口縁構造１であって、開口枠と壁部材とは、開口枠の連結部材２０と、壁部材の壁側連結部材３３と、により連結され、壁側連結部材は、連結軸３４ａと、該連結軸の端部に設けられ該連結軸よりも太く形成される固定端３４ｂと、を備える固定部材３４を有し、連結部材は、連結軸の太さより幅広で、かつ、固定端の太さより幅が狭いスリット２４、２５ｂを具備するとともに、スリットの一端側には、該スリットに連続し、固定端が通過可能な部位が設けられており、固定部材の連結軸がスリット内を通されることにより開口枠と壁部材とが連結されている。【選択図】図１
2010144411.tif 000002
【特許請求の範囲】
【請求項１】
建物開口部の枠を形成する開口枠、及び前記建物の外壁材と前記開口枠との間に配置されて前記開口枠に固定される壁部材とを備える開口縁構造であって、
前記開口枠と前記壁部材とは、前記開口枠の連結部材と、前記壁部材の壁側連結部材と、により連結され、
前記壁側連結部材は、連結軸と、前記該連結軸の端部に設けられ該連結軸よりも太く形成される固定端と、を備える固定部材を有し、
前記連結部材は、前記連結軸の太さより幅広で、かつ、前記固定端の太さより幅が狭いスリットを具備するとともに、
前記スリットの一端側には、該スリットに連続し、前記固定端が通過可能な部位が設けられており、
前記固定部材の前記連結軸が前記スリット内を通されることにより前記開口枠と前記壁部材とが連結されていることを特徴とする開口縁構造。
【請求項２】
前記スリットの一端側に設けられる前記通過可能な部位が、前記スリットより幅広に形成された他のスリットであることを特徴とする請求項１に記載の開口縁構造。
【請求項３】
請求項１又は２に記載の開口縁構造を施工する方法であって、
前記壁部材の前記固定部材の前記固定端を前記開口枠の前記固定端が透過可能な部位に配置する工程と、
前記壁部材を前記開口枠の前記連結部材のスリットの長手方向に移動させることにより、前記壁部材の前記連結軸を前記スリット内にスライドさせる工程と、を含むことを特徴とする開口縁構造の施工方法。
【発明の詳細な説明】
【技術分野】
【０００１】
本発明は建物の開口部に備えられる開口縁構造、及び該開口縁構造の施工方法に関し、詳しくは施工性に優れる開口縁構造、及び該開口縁構造の施工方法に関する。
【背景技術】
【０００２】
住宅等の建物において、様々な公知の外壁形成方法が採用されている。その中でも、ＡＬＣパネル（軽量気泡コンクリートパネル）やＰＣパネル（コンクリートパネル）等の外壁材を縦横に並列させて外壁を形成することがある。このとき、建物開口部となる部分にはその縁に沿って設けられる開口枠が配置される。そして該開口枠と、上記外壁材との間には、その間隙を満たすように、間隙に沿った棒状の壁部材が設けられる。該壁部材は開口枠に固定される。
【０００３】
例えば特許文献１には従来における開口枠と壁部材との取付構造が開示されている。このように、壁部材への取り付けは通常、いわゆるボルト、ナットにより行われている。
【特許文献１】特開２００４−１９０４１１号公報
【発明の開示】
【発明が解決しようとする課題】
【０００４】
しかしながら、特許文献１に記載のような取付構造では、壁部材と開口枠との連結の際にボルトとナットの双方を工具等で保持しつつ、該壁部材と開口部との締結をする。従って、当該工具を差し込むための通路や工具を取り回すスペース等を要し、場合によっては開口枠の一部のそのための孔を開ける必要が生じていた。また、孔を開ける必要はなくても、取り付けに際し、ボルトとナットの締結に困難がともなうことがあった。
【０００５】
そこで本発明はかかる観点から、施工が容易である開口縁構造、及び該開口縁構造の施工方法を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、建物開口部の枠を形成する開口枠（１０）、及び建物の外壁材（４０）と開口枠との間に配置されて開口枠に固定される壁部材（３０）とを備える開口縁構造（１）であって、開口枠と壁部材とは、開口枠の連結部材（２０）と、壁部材の壁側連結部材（３３）と、により連結され、壁側連結部材は、連結軸（３４ａ）と、該連結軸の端部に設けられ該連結軸よりも太く形成される固定端（３４ｂ）と、を備える固定部材（３４）を有し、連結部材は、連結軸の太さより幅広で、かつ、固定端の太さより幅が狭いスリット（２４、２５ｂ）を具備するとともに、スリットの一端側には、該スリットに連続し、固定端が通過可能な部位が設けられており、固定部材の連結軸がスリット内を通されることにより開口枠と壁部材とが連結されていることを特徴とする開口縁構造を提供することにより前記課題を解決する。
【０００８】
請求項２に記載の発明は、請求項１に記載の開口縁構造（１）において、スリット（２５ｂ）の一端側に設けられる通過可能な部位が、スリット（２５ｂ）より幅広に形成された他のスリット（２５ａ）であることを特徴とする。
【０００９】
請求項３に記載の発明は、請求項１又は２に記載の開口縁構造（１）を施工する方法であって、壁部材（３０）の固定部材（３４）の固定端（３４ｂ）を開口枠（１０）の固定端が透過可能な部位（２５ａ）に配置する工程と、壁部材を開口枠の連結部材のスリット（２４、２５）の長手方向に移動させることにより、壁部材の連結軸をスリット内にスライドさせる工程と、を含むことを特徴とする開口縁構造の施工方法を提供することにより前記課題を解決する。
【発明の効果】
【００１０】
本発明の開口縁構造によれば、壁部材を開口枠に引っ掛けるように保持することができ、その後の固定部材の締結を容易に行うことができる。
【００１１】
本発明のこのような作用及び利得は、次に説明する発明を実施するための最良の形態から明らかにされる。
【発明を実施するための最良の形態】
【００１２】
以下本発明を図面に示す実施形態に基づき説明する。ただし、本発明はこれら実施形態に限定されるものではない。
【００１３】
図１は１つの実施形態にかかる開口縁構造１が備えられた建物の水平断面図で、開口縁構造１、及びこれに隣接する外壁材４０の部分に注目した図である。図１では紙面上が室外側、紙面下が室内側である。また、図２には、図１の分解図を示した。
【００１４】
開口縁構造１は、開口枠１０と、これに取り付けられる壁部材３０とを備えている。以下、それぞれについて説明する。
【００１５】
開口枠１０は、建物開口の縁に沿って配置される枠体であり、上下の横枠と、左右の縦枠とにより形成されている。図１、図２には、そのうちの１本の縦枠１１の断面が表れている。縦枠１１は見込み方向に並べられるように室外側の第一縦枠１２、及び室内側の第二縦枠１５を有し、当該第一縦枠１２と第二縦枠１５との間には断熱部材１３、１４が挟まれるように具備されている。また、第二縦枠１５には連結部材２０が取り付けられている。
【００１６】
第一縦枠１２は、図１、図２に表れる断面において略矩形枠状の断面を有した長尺の部材であり、当該断面形状を概ね維持して紙面奥／手前方向に延在している。
第二縦枠１５は、図１、図２に表れる断面において、片１５ａ、片１５ｂ、及び片１５ｃにより略コ字状の断面が形成された長尺の部材である。断面コ字状の対向する片１５ａ、１５ｃのうち、第一縦枠１２側の片１５ａが、他方の片１５ｃより長く形成されている。
【００１７】
連結部材２０、２０は、第二縦枠１５の長手方向（紙面奥／手前方向）に並列されて取り付けられる部材である。図３には連結部材２０、２０が第二縦枠１５に並列された姿勢を示し、図４には連結部材２０の平面図（図４（ａ））及び正面図（図４（ｂ））を示した。
図１、図２及び図４（ａ）からわかるように、連結部材２０は薄板が曲げられて形成されたような部材である。連結部材２０は、片２０ａ、２０ｂ、２０ｃ、２０ｄ、２０ｅ、２０ｆ、２０ｇを備えている。当該片において片２０ａ、片２０ｂ、及び片２０ｃでコ字状部２１が形成されている。また、片２０ｃを共有して該片２０ｃ、片２０ｄ、及び片２０ｅでさらにコ字状部２２が形成されている。当該コ字状部２２は、コ字状部２１と開口方向が逆であるように形成されている。加えて、片２０ｅを共有して片２０ｅ、片２０ｆ、及び片２０ｇによりさらなるコ字状部２３が形成されている。当該コ字状部２３は、コ字状部２１と同じ方向に開口している。
【００１８】
ここで、図４（ａ）にＡで示した長さは、ここに配置される固定部材３４が回動できないように保持することができる大きさに形成されている。すなわち、後述するようにここに配置されるボルト（固定部材３４）の頭部（固定端）３４ｂの幅（六角ボルトの六角部の対向面間距離。）と概ね同じ大きさに形成されている。
また、図４（ａ）にＢで示した長さは、ここに上記固定部材３４の固定端３４ｂが入ることができる大きさに形成されている。すなわち、後述するようにここに配置されるボルト（固定部材３４）の頭部（固定端）３４ｂの厚さ（六角ボルトの六角部の厚さ。）より大きく形成される。
すなわち、当該コ字状部２２の内側には、固定部材３４の固定端３４ｂが回動禁止に挿入できる。
【００１９】
また、図４（ｂ）からわかるように、連結部材２０のうち、片２０ｄにはスリット２４、２５ｂが並列されるように設けられている。スリット２４は、一方が片２０ｄの端部にまで達し、ここに開口部２４ａを有している。また他方の端部は半円状に形成されている。ここでＣで示したスリット幅は、ここに配置される固定部材３４の連結軸３４ａ（ボルトのネジ部）の直径より大きく、かつ、固定部材３４の固定端３４ｂ（ボルトの頭部）を通すことができない大きさに形成されている。
【００２０】
スリット２５ｂは、Ｆで示したスリット幅を有している。当該スリット幅Ｆは、ここに配置される固定部材３４の連結軸３４ａ（ボルトのネジ部）の直径より大きく、かつ、固定部材３４の固定端３４ｂ（ボルトの頭部）を通すことができない大きさに形成されている。従って、上記スリット幅Ｃと同じとしても良い。
【００２１】
スリット２５ｂの一端側には、他のスリット２５ａが設けられ、スリット２５ｂに連続している。他のスリット２５ａは、スリット２５ｂのスリット２４側端部に設けられ、図４（ｂ）にＤで示した幅、及びＥで示した長さを有している。ここでＤの大きさは、上記説明したコ字状部２２の幅Ａと概ね同じである。また、Ｅで示した大きさは、ここに配置される固定部材３４がコ字状部２２の内側に挿入できる大きさとされている。例えば後述するようにここに配置されるボルト（固定部材）３４の頭部（固定端）３４ｂの最大幅（六角ボルトの六角である部分の対向する角間。）より大きく形成される。
すなわち、他のスリット２５ａにより、該他のスリット２５ａを通じてコ字状部２２に固定部材３４の固定端３４ｂを挿入することができるような形状、大きさとされている。
【００２２】
このような連結部材２０、２０は、図３からわかるように、第二縦枠１５の長手方向に２つ取り付けられる。当該取り付けの方法は特に限定されるものではないが、例えばネジ等の固定部材により行われる。より詳しくは図２からよくわかるように、連結部材２０は、第二縦枠１５のコ字状である内側に配置される。このとき、第二縦枠１５の片１５ｂに、片２０ｂ、２０ｆを面して接するように配置される。これにより、第二縦枠１５の片１５ｂと、連結部材２０のコ字状部２２とに囲まれる空間が形成される。
【００２３】
断熱部材１３、１４は、第一縦枠１１と第二縦枠１５との間に配置される断熱性を有する部材であり、第一縦枠１１、第二縦枠１５の長手方向（図１の紙面奥手前方向）に延在して配置されている。これにより室内外の断熱性を向上させている。
【００２４】
壁部材３０は、図１、図２からわかるように、壁部材本体３１、取付部材３２、及び壁側連結部材３３を備えている。
壁部材本体３１は、図１、図２に表れる断面を有して紙面奥／手前方向に延在する棒状の長尺部材である。当該壁部材本体３１が開口枠１０と外壁材４０との間に配置される。本実施形態で壁部材本体３１の断面は、矩形が有する角のうちの一つの角が切か欠かれたような略Ｌ字状である。ただし壁部材本体３１の断面はこれに限定されるものではない。また、壁部材本体３１の長さは上記開口枠１０の縦枠１１、又は外壁材４０と同じで形成されるのが通常であるが、適宜変更可能である。その材質は特に限定されるものではないが、外壁材４０と同じとすることが好ましい。これにより外観に統一感を与えることができる。例えばＡＬＣやＰＣ等が挙げられる。
【００２５】
取付部材３２は、壁部材本体３１の室内側面（図１、図２の紙面下側）に沿って配置される型材で、本実施形態では略クランク状に形成される片３２ａ、３２ｂ、３２ｃ、３２ｄを有している。取付部材３２は、上記連結部材２０に対応する位置に備えられれば良く、必ずしも壁部材本体３１の長手方向全長に亘って延在していることは要しない。
【００２６】
壁側連結部材３３は、取付部材３２の片３２ｄに面して接する片３３ａと、該３３ａの一端から室外側となる方向に延在する片３３ｂと、片３３ｂの一端から片３３ａと略平行に該片３３ａから離れる方向に設けられる片３３ｃと、片３３ｃの一端から片３３ｂと略平行に折り返されるように設けられる片３３ｄと、を備えている。また、片３３ｄには、固定部材３４、３５が具備されている。ここで固定部材３４は、連結軸３４ａを備え、その一端には該連結軸３４ａよりも太く形成された固定端３４ｂが設けられている。本実施形態では、固定部材３４、３５は六角ボルト（３４）と六角ナット（３５）との組み合わせである。ここで六角ボルトのネジ部が連結軸３４ａに相当し、六角ボルトの頭部が固定端３４ｂに相当する。固定部材３４、３５は、壁部材本体３１の長手方向（図１、図２の紙面奥／手前方向）に沿った方向に２組並列されている。
壁側連結部材３３も連結部材２０に対応した位置に設けられている。従って本実施形態では、２つの壁側連結部材３３、３３が壁部材本体３１の長手方向（図１、図２の紙面奥／手前方向）に並列されている。
【００２７】
外壁材４０は建物の外壁を形成する板状のいわゆる壁パネルである。外壁材４０は通常に用いられるものを適用することが可能であり、特に限定されることはない。これには例えばＡＬＣパネルやＰＣパネルを挙げることができる。
【００２８】
上記した開口枠部材１において、開口枠１０と、壁部材３０とは例えば次のように組み合わされて施工され、さらに、外壁材４０が設けられる。図５、図６に施工方法の一例を説明するための図を示した。
【００２９】
はじめに、図５（ａ）に矢印Ｖで示したように、縦枠１１に壁部材３０を近づけて接触させる。このとき、ボルト（固定部材３４）、ナット（固定部材３５）は少し緩めておき、ボルト（固定部材３４）の頭部（固定端３４ｂ）と、壁側連結部材３３の片３３ｄとの間に少なくとも連結部材２０の片２０ｄの厚さよりも大きな隙間ができるようにしておく。また、図５（ｂ）に示したように２つの固定部材３４、３４の固定端３４ｂ、３４ｂうち、一方は、連結部材２０のスリット２４の開口部２４ａの上方に配置し、他方はスリット２５ａを貫通させてコ字状部２２の内側に挿入する。スリット２５ａは上記したように固定部材３４の固定端３４ｂを貫通させることができるので、当該配置が可能である。
【００３０】
次に図６に示したように壁部材３０を下げるように移動する。これにより固定部材３４、３４の固定端３４ｂ、３４ｂは連結部材２０のコ字状部２２内をスライドする。そして固定部材３４、３４の連結軸３４ａ、３４ａはスリット２４、２５ｂ内をスライドする。ここでスリット２４、２５ｂは、連結軸３４ａ、３４ａを通すことはできるが、固定端３４ｂ、３４ｂを通すことはできない構成になっている。これにより壁部材３０は開口枠１０の縦枠１１に保持される。
【００３１】
その後、固定部材３０の固定部材３５（ナット）を回動させて、開口枠１０と壁部材３０とを強固に固定する。このとき、上記したように、固定部材３４の固定端３４ｂは連結部材２０のコ字状部２２の内側で回動できないように形成されている。従って、固定部材３５（ナット）を回動させるだけで、固定部材３４、３５による固定をすることが可能である。
【００３２】
その後、図１に示した構造となるように、外壁材４０及び、目地部のシール４５、４６を形成すればよい。
【００３３】
以上のように、本発明の開口縁構造によれば、容易に壁部材３０を開口枠１０に固定して、開口縁構造を形成することが可能である。また開口枠１０に固定部材３４の固定端３４ｂ（ボルトの頭部）を操作するための孔等を設ける必要もなく施工性に優れたものとすることができる。
【００３４】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う開口縁構造、及び該開口縁構造の施工方法を備える壁部材の取付構造も本発明の技術的範囲に包含されるものとして理解されなければならない。
【図面の簡単な説明】
【００３５】
【図１】１つの実施形態にかかる開口枠、及び該開口枠を備える壁部材の取付構造の水平断面図である。
【図２】図１の分解図である。
【図３】第二縦枠に対する連結部材の取り付け位置を示した図である。
【図４】図４（ａ）は連結部材の平面図、図４（ｂ）は連結部材の正面図である
【図５】壁部材の施工手順を説明する図である。
【図６】壁部材の施工手順を説明する他の図である。
【符号の説明】
【００３６】
１  開口縁構造
１０  開口枠
１１  第一縦枠
１５  第二縦枠
２０  連結部材
２４  スリット
２５ａ  スリット
２５ｂ  スリット（他のスリット）
３０  壁部材
３３  壁側連結部材
３４  固定部材
３４ａ  連結軸
３４ｂ  固定端
３５  固定部材
４０  外壁材
【図１】
2010144411.tif 000003
【図２】
2010144411.tif 000004
【図３】
2010144411.tif 000005
【図４】
2010144411.tif 000006
【図５】
2010144411.tif 000007
【図６】
2010144411.tif 000008